(57)【要約】【課題】従来の導管一体型の電熱線は、構造が煩雑で素材数が多く製造コストが高く、可撓性に欠け、異種の気体、液体を同時に移送、分離配送が出来ない、電気信号を電源部から末端部に伝達しづらい、電源部からの通電施工が困難等の問題があった。【解決手段】電気的絶縁材で加工された可撓性導管４ａ、４ｂの外面上を、覆うように編組状の通電線３ａ、３ｂを施工された２個の構造物を、その軸方向に沿って、互いの間に一定間隔をおいて平行に配置し、それらを押し出し成型可能な重合材の発熱体２で包埋し、その外周を耐熱性、電気的絶縁材の外被１で包埋した構造の導管一体型の電熱線。【選択図】  図１
2007073281.tif 000002
【特許請求の範囲】
【請求項１】
電気的絶縁材で加工された可撓性導管４ａ、４ｂの外面上を、覆うように編組状の通電線３ａ、３ｂを施工された２個の構造物を、その軸方向に沿って、互いの間に一定間隔をおいて平行に配置し、それらを押し出し成型可能な重合材の発熱体２で包埋し、その外周を耐熱性、電気的絶縁材の外被１で包埋した構造の導管一体型の電熱線。
【請求項２】
樹脂製導管の外周表面に通電可能な金属を蒸着して通電線８ａ、８ｂとした請求項１記載の導管一体型の電熱線。
【請求項３】
複数の導管を一体化もしくは、束にして導管群５ａ、５ｂの全体外面上を、覆うように編組状の通電線３ａ、３ｂを施工された請求項１、２記載の導管一体型の電熱線。
【請求項４】
押し出し成型可能な重合発熱体２が自己温度制御型ＰＴＣ発熱体である請求項１、２、３記載の導管一体型の電熱線。
【請求項５】
導管４ａ、４ｂが対薬品性、耐熱性の特徴を有する請求項１、２、３、４記載の導管一体型の電熱線。
【請求項６】
導管６ａ、６ｂの外周部に露出して通電可能な金属を埋め込み又は貼り付けて通電線７ａ、７ｂとした構造の請求項１、２、３、４、５記載の導管一体型の電熱線。
【請求項７】
通電線３ａ、３ｂを通じて電気信号の授受が可能な請求項１、２、３、４、５、６記載の導管一体型の電熱線。
【発明の詳細な説明】
【技術分野】
【０００１】
本発明は、液体もしくは気体を一定の温度で加熱及び温度維持し、且つ凍結防止を兼ねて気体及び液体を移送可能な導管一体型の電熱線に関する。
【背景技術】
【０００２】
従来の導管一体型の電熱線は導管に電極一体型ヒーターテープを巻きつけた構造。
【０００３】
複数のヒーター線を導管に巻きつけた構造。
【０００４】
ステンレス鋼材の導管に同芯軸上で発熱体の内外部を通電線で加熱する構造。
【０００５】
導電性ワイヤの層の各々は、導管の２つの可撓性管状シースの間に配置される構造。  
【特許文献１】特許登録番号  １５４０９４７
【特許文献２】特開平０２−３５２９２
【特許文献３】特願平６−４７１２８
【特許文献４】特願平３−５０９５７７
【発明の開示】
【発明が解決しようとする課題】
【０００６】
以上に述べた従来の導管一体型の電熱線は、構造が煩雑で素材数が多く製造コストが高く、可撓性に欠け、異種の気体、液体を同時に移送、分離配送が出来ない等のそれぞれの欠点があり、電気信号を電源部から末端部に伝達しづらい、電源部からの通電施工が困難等の問題があった。
【０００７】
本発明は、以下に述べる解決手段によって、上述の問題を解決しようとするものである。
【課題を解決するための手段】
【０００８】
電気的絶縁材で加工された可撓性導管４ａ、４ｂの外面上を、覆うように編組状の通電線３ａ、３ｂを施工された２個の構造物を、その軸方向に沿って、互いの間に一定間隔をおいて平行に配置し、それらを押し出し成型可能な重合材の発熱体２で包埋し、その外周を耐熱性、電気的絶縁材の外被１で包埋した構造とした導管一体型の電熱線。
【０００９】
樹脂製導管の外周表面を通電可能な金属を蒸着して通電線８ａ、８ｂとした請求項１記載の導管一体型の電熱線。
【００１０】
複数の導管を一体化もしくは、束にして導管群５ａ、５ｂの全体外面上を、覆うように編組状の通電線３ａ、３ｂを施工された構造の請求項１、２記載の導管一体型の電熱線。
【００１１】
押し出し成型可能な重合発熱体２が自己温度制御型ＰＴＣ発熱体である請求項１、２、３記載の導管一体型の電熱線。
【００１２】
導管６ａ、６ｂの外周部に露出して通電可能な金属を埋め込み又は貼り付けて通電線７ａ、７ｂとした構造の請求項１、２、３、４、５記載の導管一体型の電熱線。
【００１３】
導管６ａ, ６ｂの外周部に露出して通電可能な金属を埋め込み又は貼り付けられて通電線３ａ, ３ｂとした構造の請求項１、２、３、４、５記載の導管一体型の電熱線。
【００１４】
通電線３ａ、３ｂを通じて電気信号の授受が可能な構造の請求項１、２、３、４、５、６記載の導管一体型の電熱線。
【発明の効果】
【００１５】
本発明は、以上説明したように構成されているので、以下に記載されるような効果を奏する。
【００１６】
構造が簡単で素材数が少なく製造コストが安価、可撓性で、異種の気体、液体を同時に移送、分離配送が出来、電気信号を電源部から末端部に伝達し易く、電源部からの通電施工が簡単な効果が挙げられる。
【発明を実施するための最良の形態】
【００１７】
以下、本発明の実施の形態を図１〜図５に基づいて説明する。
【実施例１】
【００１８】
図１は、図において電気的絶縁材で加工された可撓性導管４ａ、４ｂの外面上を、覆うように編組状の通電線３ａ、３ｂを施工された２個の構造物を、その軸方向に沿って、互いの間に一定間隔をおいて平行に配置し、それらを押し出し成型可能な重合発熱体２で包埋し、その外周を耐熱性、電気的絶縁材の外被１で包埋した構造の形態。
【実施例２】
【００１９】
図２は、樹脂製導管の外周表面を通電可能な金属を蒸着して通電線８ａ、８ｂとした請求項１記載の導管一体型の電熱線の構造の形態。
【実施例３】
【００２０】
図３は、複数の導管を一体化もしくは  、束にして導管群５ａ、５ｂ全体外面上を、覆うように編組状の通電線６ａ、６ｂを施工された請求項１、２記載の導管一体型の電熱線の構造の形態。
【実施例４】
【００２１】
図４は、導管４ａ、４ｂの外周部に露出して通電可能な金属を埋め込み又は貼り付けて通電線７ａ、７ｂとした構造の請求項１、２、３、４、５記載の導管一体型の電熱線の構造の形態。
【産業上の利用可能性】
【００２２】
自動車用ウォッシャー液チューブの凍結防止。
【００２３】
化学薬品の触媒、分析関連応用機器。
【００２４】
バイオ技術での関連応用機器。
【００２５】
ナノテクノロジー関連応用機器。
【００２６】
食品工業応用関連機器。
【００２７】
半導体製造の関連応用機器。
【図面の簡単な説明】
【００２８】
【図１】本発明の導管一体型の電熱線斜視図である。
【図２】樹脂製導管の表面に金属を蒸着した通電線８ａ、８ｂの斜視図
【図３】複数の導管を一体化もしくは  、束にして導管群５ａ、５ｂ全体外面上を、覆うように編組状の通電線６ａ、６ｂを施工して、外被１で覆われた導管一体型の電熱線の斜視図。
【図４】導管６ａ、６ｂの外周部に露出して通電可能な金属を埋め込み又は貼り付けて通電線７ａ、７ｂとした構造の斜視図。
【符号の説明】
【００２９】
１  外被
２  発熱体
３ａ、３ｂ、７ａ、７ｂ、８ａ、８ｂ  通電線
４ａ、４ｂ、６ａ、６ｂ  導管
５ａ、５ｂ  導管群
【図１】
2007073281.tif 000003
【図２】
2007073281.tif 000004
【図３】
2007073281.tif 000005
【図４】
2007073281.tif 000006